(57)【要約】  下部回転ワイパーを備えるマスカラ容器が開示される。本発明の下部回転ワイパーを備えるマスカラ容器は、結合ヘッドを備える容器本体と；結合ヘッドに結合されて、ブラシ部材をワイピング（ｗｉｐｉｎｇ）する下部回転ワイパー；および容器本体に結合され、ブラシ部材とブラシ部材が結合されるブラシ支持ロッドを備えるブラシ部とを含め、ブラシ部材とブラシ支持ロッドは、平たい形状を有して、下部回転ワイパーは、円形ホールを有するベース体と、ベース体に回転可能に結合され、平たい形状のホールを有する回転体とを備えることを特徴とする。
2019514627.tif 000002
【特許請求の範囲】
【請求項１】
結合ヘッドを備える容器本体と；
前記結合ヘッドに結合されて、ブラシ部材をワイピング（ｗｉｐｉｎｇ）する下部回転ワイパー；および
前記容器本体に結合され、前記ブラシ部材と前記ブラシ部材が結合されるブラシ支持ロッドとを備えるブラシ部とを含めて、
前記ブラシ部材と前記ブラシ支持ロッドは、平たい形状を有して、
前記下部回転ワイパーは、円形ホールを有するベース体と前記ベース体に回転可能に結合され、平たい形状のホールを有する回転体を備える
ことを特徴とするマスカラ容器。
【請求項２】
前記ベース体は、前記結合ヘッドにねじ結合され、
前記回転体は、前記ベース体の下側部に回転可能に結合され、前記ブラシ部材と前記ブラシ支持ロッドの挿入力によって回転され、前記平たい形状のホールを通して前記ブラシ部材と前記ブラシ支持ロッドを前記容器本体の底部方向に挿入させる
ことを特徴とする請求項１に記載のマスカラ容器。
【請求項３】
前記ベース体の外壁には掛け溝が設けられ、
前記回転体の内壁には、前記掛け溝に掛け支持される結合突出部が設けられ、前記回転体は、前記容器本体の内部で正逆方向に自在に回転される
ことを特徴とする請求項１に記載のマスカラ容器。
【請求項４】
前記円形ホールは、前記ベース体の上端部に設けられ、
前記平たい形状のホールは、前記回転体の下側部に設けられる
ことを特徴とする請求項１に記載のマスカラ容器。
【請求項５】
容器本体に結合され、入口に円形ホールが設けられたベース体；および
前記ベース体の一側部に回転可能に結合され、平たい形状のホールが設けられた回転体を含め、
前記回転体に挿入される平たい形状を有するブラシ部材とブラシ支持ロッドの挿入力によって前記回転体が回転されて前記ブラシ部材と前記ブラシ支持ロッドを前記容器本体の底部方向に挿入させる
ことを特徴とする下部回転ワイパー。
【発明の詳細な説明】
【技術分野】
【０００１】
本発明は、マスカラ容器に関する。より詳しくは、下部が回転可能のワイパーを備えるマスカラ容器に関する。
【背景技術】
【０００２】
マスカラは、まつげを濃くする化粧品であり、粘着性のあるクリーム状になっていて、そのマスカラは、内容物をブラシ、または、軟質のゴム材ブレードなどからなるアプリケーターに付けてまつげに塗る。
【０００３】
マスカラをブラシ、または、軟質のブレードなどのアプリケーターに付けて使用する時に、アプリケーターに多すぎる量のマスカラ液が付いてくると、アプリケーターを有するブラシ棒を移す過程でアプリケーターに収容されているマスカラがこぼれることになる。これによって、まつげにマスカラ液が過多について、マスカラで化粧したまつげが固まる短所がある。
【０００４】
このような短所をなくすために、ブラシ棒を容器から引き抜く時、ブラシ棒の下端のアプリケーターを梳いて適量のマスカラ液がアプリケーターに残るようにするワイパーが開示されている。
【０００５】
前述のワイパーのうち、ワイパーを二重構造にしてブラシに付いた内容物を払うという内容が韓国登録特許公報第１０−１６２６５３９号（２０１６．０５．２６．）「動くワイパーを備えるマスカラ容器」に開示されている。
【０００６】
この先行技術は、容器の本体に一つのワイパーを設けて、ブラシ棒に他のワイパーを設けて二重でワイパーを設けることによって、ブラシ棒の外周面に付いた内容物を払っている。
【０００７】
一方、平たい形状を有するブラシ毛とブラシ棒を、スクリュー構造を有するキャップに用いる場合、ブラシ毛とブラシ棒とを容器の本体に挿入させる方向によってワイパーのワイピング（ｗｉｐｉｎｇ）の効率が異なるため、これにおける改善策が要求される。
【０００８】
特にこういう傾向は、ワイパーの下端部に平たい形状のホールを設ける場合、さらにひどくなる。
【０００９】
前述の技術構成は、本発明の理解をよくするための背景技術であり、本発明の属する技術分野でよく知られた従来技術を意味するのではない。
【先行技術文献】
【特許文献】
【００１０】
【特許文献１】韓国登録特許公報第１０−１６２６５３９号
【発明の概要】
【発明が解決しようとする課題】
【００１１】
従って、本発明が解決しようとする技術的課題は、平たい形状のブラシ棒とブラシ毛とを有する場合、スクリュー構造を有するキャップの構造に構わず、ワイピング機能を有することのできる下部回転ワイパーを備えるマスカラ容器を提供することにある。
【課題を解決するための手段】
【００１２】
本発明の一側面によると、結合ヘッドを備える容器本体と；前記結合ヘッドに結合されて、ブラシ部材をワイピング（ｗｉｐｉｎｇ）する下部回転ワイパー；および前記容器本体に結合されて、前記ブラシ部材と前記ブラシ部材とが結合されるブラシ支持ロッドを備えるブラシ部とを含めて、前記ブラシ部材と前記ブラシ支持ロッドは、平たい形状を有して、前記下部回転ワイパーは、円形ホールを有するベース体と前記ベース体に回転可能に結合されて、平たい形状のホールを有する回転体を備えることを特徴とするマスカラ容器が提供されることができる。
【００１３】
前記ベース体は、前記結合ヘッドにねじ結合されて、前記回転体は、前記ベース体の下側部に回転可能に結合されて、前記ブラシ部材と前記ブラシ支持ロッドの挿入力によって回転され、前記平たい形状のホールを通して前記ブラシ部材と前記ブラシ支持ロッドとを前記容器本体の底部方向に挿入させることができる。
【００１４】
前記ベース体の外壁には、掛け溝が設けられ、前記回転体の内壁には、前記掛け溝に掛け支持される結合突出部が設けられ、前記回転体は、前記容器本体の内部で正逆方向に自在に回転することができる。
【００１５】
前記円形ホールは、前記ベース体の上端部に設けられて、前記平たい形状のホールは、前記回転体の下側部に設けられることができる。
【００１６】
また、本発明の他側面によると、容器本体に結合されて、入口に円形ホールが設けられたベース体;および前記ベース体の一側部に回転可能に結合されて、平たい形状のホールが設けられた回転体を含めて、前記回転体に挿入される平たい形状を有するブラシ部材とブラシ支持ロッドの挿入力によって前記回転体が回転されて前記ブラシ部材と前記ブラシ支持ロッドとを前記容器本体の底部方向に挿入させることを特徴とする下部回転ワイパーを提供することができる。
【発明の効果】
【００１７】
本発明の実施例等は、下部回転ワイパーがベース体に回転可能に結合される回転体を備えて、平たい形状を有するブラシ支持ロッドとブラシ部材を平たい形状のホールの方向に挿入する時、その挿入力によって回転体が回転されて、平たい形状のホールに合わせて下降されるため、スクリュー構造を有するキャップの構造に関係なく、ワイピング機能を効率的にすることができる。
【図面の簡単な説明】
【００１８】
【図１】本発明の一実施例による下部回転ワイパーを備えるマスカラ容器を概略的に図示した分解図である。
【図２】図１に図示の構成の結合断面図である。
【図３】図１に図示の下部回転ワイパーの斜視図である。
【図４】図３の断面図である。
【図５】図３に図示の回転体の回転作動図である。
【発明を実施するための形態】
【００１９】
本発明と本発明の動作上の利点および本発明の実施によって達成される目的を十分に理解するためには、本発明の好ましい実施例を例示する添付図面および添付図面に記載の内容を参考にするべきである。
【００２０】
以下、添付の図面を参考して本発明の好ましい実施例を説明することによって、本発明を詳しく説明する。各図面に提示の同一参照符号は、同一部材を示す。
【００２１】
図１は、本発明の一実施例による下部回転ワイパーを備えるマスカラ容器を概略的に図示した分解図であり、図２は、図１に図示の構成の結合断面図であり、図３は、図１に図示の下部回転ワイパーの斜視図であり、図４は、図３の断面図であり、図５は、図３に図示の回転体の回転作動図である。
【００２２】
これらの図面に図示のように、本実施例による下部回転ワイパーを備えるマスカラ容器１は、結合ヘッド１１０を備える容器本体１００と、結合ヘッド１１０に結合されて、ブラシ部材３３０をワイピング（ｗｉｐｉｎｇ）する下部回転ワイパー２００と、容器本体１００に結合されるブラシ部３００とを備える。
【００２３】
容器本体１００は、図１に図示のように、下部が狭くて、上部に行くほど直径が増加する平たい形状を有することがある。
【００２４】
本実施例で容器本体１００の上端部には、ブラシキャップ３１０が結合される結合ヘッド１１０が設けられて、この結合ヘッド１１０の内壁には下部回転ワイパー２００のベース体２１０が嵌合結合されることができる。
【００２５】
また、本実施例で結合ヘッド１１０の外壁にはねじ山１２０が設けられて、ブラシキャップ３１０がねじ結合されることができる。
【００２６】
下部回転ワイパー２００は、上側部が結合ヘッド１１０に固定結合されて、下側部は、平たい形状を有するブラシ支持ロッド３２０とブラシ部材３３０との挿入力によって回転されて、下側部に設けられた平たい形状のホール２２２にブラシ支持ロッド３２０とブラシ部材３３０とを自然に合わせて挿入することができる。
【００２７】
本実施例で下部回転ワイパー２００は、図２に図示のように、容器本体１００の結合ヘッド１１０に結合されるベース体２１０と、ベース体２１０の下部に回転可能に結合されて、容器本体１００の内部に配置される回転体２２０とを含む。
【００２８】
下部回転ワイパー２００のベース体２１０は、結合ヘッド１１０の内壁に嵌合結合されることができて、支持部２１１が結合ヘッド１１０の上端部に支持されることができる。
【００２９】
本実施例でベース体２１０の内壁には、図２および図４に図示のように、傾斜部２１２が設けられることができて、この傾斜部２１２は、ベース体２１０の上端部から下端部まで連続的に設けられることができる。本実施例でベース体２１０の上端部には、円形の形のホールが設けられることができる。
【００３０】
また、本実施例でベース体２１０の下側部には、図４に図示のように、回転体２２０の結合突出部２２１が掛け支持される掛け溝２１３が設けられる。
【００３１】
さらに、本実施例でベース体２１０の上側外壁には、図３および図４に図示のように、突出部２１４が設けられる。本実施例で突出部２１４は、ベース体２１０に連続的に設けられて、ベース体２１０が簡単に脱離されないように加圧力を加えることができる。
【００３２】
下部回転ワイパー２００の回転体２２０は、図５に図示のように、ベース体２１０に正逆方向に回転可能に結合されて、回転体２２０の回転は、回転体２２０に挿入される平たい形状のブラシ支持ロッド３２０とブラシ部材３３０からなることができる。
【００３３】
本実施例で回転体２２０は、挿入される平たい形状のブラシ支持ロッド３２０とブラシ部材３３０によって回転されて、ブラシ支持ロッド３２０とブラシ部材３３０の挿入を容器本体１００の底部方向にガイドするため、結合ヘッド１１０にねじ結合されるブラシキャップ３１０の方向に関係なく、平たい形状のブラシ支持ロッド３２０とブラシ部材３３０を挿入することができる。
【００３４】
本実施例で回転体２２０の上側部には、図２および図４に図示のように、ベース体２１０の掛け溝２１３に挿入されて、掛け支持される結合突出部２２１が設けられる。この結合突出部２２１は、回転体２２０の内壁に連続的に設けられることができる。
【００３５】
また、本実施例で回転体２２０の下側部には、図３に図示のように、平たい形状のホール２２２が設けられ、この平たい形状のホール２２２は、ブラシ支持ロッド３２０とブラシ部材３３０の流出入通路として提供される。
【００３６】
本実施例は、前述のように回転体２２０が挿入されるブラシ支持ロッド３２０とブラシ部材３３０によって正逆方向に自在に回転されて、平たい形状のホール２２２に対応するようにブラシ支持ロッド３２０とブラシ部材３３０とを挿入させることができる。
【００３７】
ブラシ部３００は、図１に図示のように、容器本体１００の結合ヘッド１１０にねじ結合することのできるブラシキャップ３１０と、ブラシキャップ３１０に一側部が結合されて、平たい楕円や多角形の形を有するブラシ支持ロッド３２０と、ブラシ支持ロッド３２０に結合されて、平たい形状を有するブラシ部材３３０とを含む。
【００３８】
本実施例でブラシ部材３３０とブラシ支持ロッド３２０とをベース体２１０に設けられた円形ホールを通して引き続き容器本体１００の底部方向に挿入すると、ブラシ部材３３０とブラシ支持ロッド３２０の挿入力によって回転体２２０は正方向、または、逆方向に回転され、回転体２２０に設けられた平たい形状のホール２２２が平たい形状のブラシ部材３３０とブラシ支持ロッド３２０に合わせられるため、ブラシ部材３３０とブラシ支持ロッド３２０とを便利に挿入することができる。
【００３９】
また、ブラシ部材３３０を容器本体１００の外に引き出すために、結合ヘッド１１０にねじ結合されたブラシキャップ３１０を外す場合、回転体２２０がブラシ支持ロッド３２０とともに回転されて、最初に挿入された位置を維持するため、ブラシ支持ロッド３２０とブラシ部材３３０を便利に引き出すことができる。
【００４０】
この時、ブラシ支持ロッド３２０とブラシ部材３３０にある化粧品の液体は、平たい形状のホール２２２とベース体２１０の傾斜部２１２の下端でワイピング（ｗｉｐｉｎｇ）されることができる。
【００４１】
以上のように、本実施例は、下部回転ワイパーがベース体に回転可能に結合される回転体を備えて、平たい形状を有するブラシ支持ロッドとブラシ部材を平たい形状のホールの方向に挿入する時、その挿入力によって回転体が回転されて、平たい形状のホールに合わせて下降されるため、スクリュー構造を有するキャップの構造に関係なく、ワイピング機能を効率的にすることができる。
【００４２】
このように、本発明は、記載の実施例に限定されるものではなく、本発明の事象および範囲を外れないで、様々に修正および変形できることは、この技術の分野で通常の知識を有する者には自明である。従って、そのような修正例、または、変形例等は、本発明の特許請求の範囲に属するというべきである。
【符号の説明】
【００４３】
１    マスカラ容器
１００    容器本体
１１０    結合ヘッド
１２０    ねじ山
２００    下部回転ワイパー
２１０    ベース体
２１１    支持部
２１２    傾斜部
２１３    掛け溝
２１４    突出部
２２０    回転体
２２１    結合突出部
２２２    ホール
３００    ブラシ部
３１０    ブラシキャップ
３２０    ブラシ支持ロッド
３３０    ブラシ部材
【図１】
2019514627.tif 000003
【図２】
2019514627.tif 000004
【図３】
2019514627.tif 000005
【図４】
2019514627.tif 000006
【図５】
2019514627.tif 000007
【国際調査報告】
2019514627.tif 000008
2019514627.tif 000009
2019514627.tif 000010
2019514627.tif 000011